(57)【要約】【課題】この発明は、電子消音装置とサブウーハー用スピーカとが設けられた液晶プロジェクタにおいて、小型化が図れる液晶プロジェクタを提供することを目的とする。【解決手段】冷却ファンによる騒音を打ち消すための制御音を発生するための消音用スピーカとサブウーハー用スピーカとが内蔵された液晶プロジェクタにおいて、冷却ファンの通風経路を形成しかつ一端が排出口までのびた通風用ダクトが設けられており、通風用ダクトの途中の位置に制御音が与えられるように消音用スピーカが配されており、通風用ダクトにおける制御音が与えられる位置より下流側にある所定位置から排出口までの部分がサブウーハー用スピーカのためのスピーカダクトとして用いられている。【選択図】  図１
2004184763.tif 000002
【特許請求の範囲】
【請求項１】
冷却ファンによる騒音を打ち消すための制御音を発生するための消音用スピーカとサブウーハー用スピーカとが内蔵された液晶プロジェクタにおいて、冷却ファンの通風経路を形成しかつ一端が排出口までのびた通風用ダクトが設けられており、通風用ダクトの途中の位置に制御音が与えられるように消音用スピーカが配されており、通風用ダクトにおける制御音が与えられる位置より下流側にある所定位置から排出口までの部分がサブウーハー用スピーカのためのスピーカダクトとして用いられていることを特徴とする液晶プロジェクタ。
【請求項２】
冷却ファンが光源用ランプを冷却するための冷却ファンと電気回路の熱を冷却するための冷却ファンであることを特徴とする請求項１に記載の液晶プロジェクタ。
【請求項３】
冷却ファンが光源用ランプを冷却するための冷却ファンであることを特徴とする請求項１に記載の液晶プロジェクタ。
【発明の詳細な説明】
【０００１】
【発明の属する技術分野】
この発明は、液晶プロジェクタに関する。
【０００２】
【従来の技術】
現在、市場に出回っている液晶プロジェクタは映像関係の再現に関しては、十分な機能を備えているが、音響関係のハードウエアに関してはＲ／Ｌステレオ入力及びステレオスピーカ程度が装備されているのみである。
【０００３】
音響効果を高めるためにサブウーハー用スピーカを液晶プロジェクタに内蔵させることが考えられるが、液晶プロジェクタ内に設けられている冷却ファンによる騒音が大きいため、サブウーハー用スピーカを内蔵させたことの効果が十分に発揮できないという問題がある。
【０００４】
そこで、液晶プロジェクタに、騒音に対して逆位相でかつ同振幅の音波を与えて騒音を消去するアクティブノイズコントロール（ＡＮＣ）と称する電子消音装置（特公平８−２７６３４号公報、特許登録第２５９６１２７号公報参照）を設けることが考えられる。このような、電子消音装置を設けるためには、冷却ファンの通風経路をダクト（以下、通風用ダクトという）で構成し、通風用ダクトによって構成された通風経路の途中に、騒音に対して逆位相でかつ同振幅の音波を与えるようにする必要がある。
【０００５】
一方、サブウーハー用スピーカを設けるためには、スピーカ用ダクトを設ける必要があるため、電子消音装置とサブウーハー用スピーカとを設けるためには、通風用ダクトとスピーカ用ダクトとを設けなければならず、装置が大型化するという問題がある。
【０００６】
【特許文献１】特公平８−２７６３４号公報
【特許文献２】特許登録第２５９６１２７号公報
【０００７】
【発明が解決しようとする課題】
この発明は、電子消音装置とサブウーハー用スピーカとが設けられた液晶プロジェクタにおいて、小型化が図れる液晶プロジェクタを提供することを目的とする。
【０００８】
【課題を解決するための手段】
請求項１に記載の発明は、冷却ファンによる騒音を打ち消すための制御音を発生するための消音用スピーカとサブウーハー用スピーカとが内蔵された液晶プロジェクタにおいて、冷却ファンの通風経路を形成しかつ一端が排出口までのびた通風用ダクトが設けられており、通風用ダクトの途中の位置に制御音が与えられるように消音用スピーカが配されており、通風用ダクトにおける制御音が与えられる位置より下流側にある所定位置から排出口までの部分がサブウーハー用スピーカのためのスピーカダクトとして用いられていることを特徴とする。
【０００９】
請求項２に記載の発明は、請求項１に記載の液晶プロジェクタにおいて、冷却ファンが光源用ランプを冷却するための冷却ファンと電気回路の熱を冷却するための冷却ファンであることを特徴とする。
【００１０】
請求項３に記載の発明は、請求項１に記載の液晶プロジェクタにおいて、冷却ファンが光源用ランプを冷却するための冷却ファンであることを特徴とする。
【００１１】
【発明の実施の形態】
以下、図面を参照して、この発明の実施の形態について説明する。
【００１２】
図１〜図３は、主として液晶プロジェクタ内に設けられた冷却系を示している。
【００１３】
以下の説明において、前とは図１の上側を、後とは図１の下側を、左とは図１の左側を、右とは図１の右側を、それぞれ言うものとする。
【００１４】
図１〜図３において、１１〜１４はメタルハライドランプ等の光源用ランプであり、２１〜２４は光源用ランプ１１〜１４を冷却するためのランプ冷却用ファンであり、３０は通風用ダクトであり、４１は消音用スピーカであり、４２はサブウーハー用スピーカであり、５０は電気回路であり、２５は電気回路５０内で発生した熱を排出するための電気回路冷却用ファンである。
【００１５】
ランプ冷却用ファン２１〜２４は、それぞれ光源用ランプ１１〜１４の真上に配置されており、液晶プロジェクタ本体の下面に形成された吸気口（図示略）から、外部の空気を吸い込んで、通風用ダクト３０内に空気を送り込む。この過程において、光源用ランプ１１〜１４が冷却される。
【００１６】
通風用ダクト３０は、上部ダクト部３１と下部ダクト部３２とからなる。上部ダクト部３１は、左側の２つのランプ冷却用ファン２１、２４と右側の２つのランプ冷却用ファン２２、２３との間において前後方向にのびた第１部分３１ａと、右側の２つのランプ冷却用ファン２２、２３の右側において前後方向にのびかつ前端が左方向に屈曲した第３の部分３１ｃと、第１部分３１ａの後端部と第３部分３１ｃの後端部とを接続する第２部分３１ｂとからなる。
【００１７】
下部ダクト部３２は、上部ダクト３１より下側位置にあり、前後方向にのびている。下部ダクト部３２の前端右側部は上部ダクト部３１の第３部分３１ｃの前端に繋がっている。下部ダクト部３２の後端は、液晶プロジェクタ本体の後端面に形成された排気口（図示略）に繋がっている。
【００１８】
ランプ冷却用ファン２１、２２によって吸気口から吸気された空気は、上部ダクト部３１の第１部分３１ａ、第２部分３１ｂおよび第３部分３１ｃならびに下部ダクト３２を通って排出口から排出される。ランプ冷却用ファン２３、２４によって吸気口から吸気された空気は、上部ダクト部３１の第２部分３１ｂおよび第３部分３１ｃならびに下部ダクト３２を通って排出口から排出される。
【００１９】
上部ダクト３１の第３部分３１ｃの後より位置と、電気回路冷却用ファン２５との間には、補助ダクト３３によって繋がっている。電気回路冷却用ファン２５によって、電気回路５０内の熱は、補助ダクト３３を介して上部ダクト部３１の第３部分３１ｃに導かれ、上部ダクト部３１の第３部分３１ｃおよび下部ダクト３２を通って排出口から排出される。
【００２０】
上部ダクト３１の第３部分３１ｃには、補助ダクト３３が繋がっている位置より下流側位置（前側位置）に、消音用スピーカ４１から発生した音をダクト３１内に導くための孔５１が開けられている。この孔５１を密閉するように、消音用スピーカ４１がダクト３１に取り付けられている。
【００２１】
また、下部ダクト３２の前端部には、サブウーハー用スピーカ４２から発生した音をダクト３２内に導くための孔５２が開けられている。この孔５２を密閉するように、サブウーハー用スピーカ４２がダクト３２に後向きに取り付けられている。サブウーハー用スピーカ４２から発生した音は、下部ダクト３２を通って外部に伝搬せしめられる。つまり、下部ダクト３２は、通風用ダクトとして用いられているとともにスピーカダクトとしても用いられている。言い換えれば、通風用ダクト３０の一部が、サブウーハー用スピーカ４２のためのスピーカダクトとして用いられている。
【００２２】
ところで、アクティブノイズコントロール（ＡＮＣ）と称する電子消音装置では、通常は、特公平８−２７６３４号公報、特許登録第２５９６１２７号公報等に示されるように、ダクト内の騒音信号を検出するための騒音マイクと、ダクト内の伝搬騒音を打ち消すための制御音を発する消音用スピーカ（消音用スピーカ４１）と、伝搬騒音を打ち消した後の誤差信号を検出する誤差マイクと、騒音マイクおよび誤差マイクの出力に基づいて、消音用スピーカに与える駆動信号を作成するコントローラとから構成されている。
【００２３】
この実施の形態においても、消音用スピーカ４１の他、騒音マイクおよび誤差マイクを設け、騒音マイクおよび誤差マイクの出力に基づいて消音用スピーカに与える制御音信号を作成するようにしてもよいが、この実施の形態では、次のようにして電子消音装置の構成の簡素化を図っている。
【００２４】
つまり、冷却用ファン２１〜２５による伝搬騒音の周波数特性データを、各種運転状況毎に事前に調査してデータベース化しておく。そして、運転状況に対応した伝搬騒音の周波数特性データに基づいて、伝搬騒音に対して逆位相の音波を消音用スピーカ４１から発生させるようにする。各種運転状況に応じて、伝搬騒音に対して逆位相の音波信号を発生する回路は、電気回路５０内に設けられている。
【００２５】
電気回路５０内には、サブウーハー用スピーカ４２に与える音声信号を発生させるための低周波再生回路も設けられている。低周波再生回路としては、Ｒチャンネル信号およびＬチャンネル信号から低音部を抽出し、増幅してサブウーハー用スピーカ４２に出力するものが用いられる。
【００２６】
上記実施の形態によれば、通風用ダクト３０の一部が、サブウーハー用スピーカ４２のためのスピーカダクトとして用いられているので、小型化が図れるようになる。
【００２７】
上記実施の形態では、電気回路冷却用ファンが設けられているが、電気回路冷却用ファンはなくてもよい。
【００２８】
【発明の効果】
この発明によれば、液晶プロジェクタに電子消音装置とサブウーハー用スピーカとを設けた場合に、小型化が図れるようになる。
【図面の簡単な説明】
【図１】主として液晶プロジェクタ内に設けられた冷却系を上面側から見た図である。
【図２】主として液晶プロジェクタ内に設けられた冷却系を右側面側から見た図である。
【図３】主として液晶プロジェクタ内に設けられた冷却系を後端面側から見た図である。
【符号の説明】
１１〜１４  光源用ランプ
２１〜２４  ランプ冷却用ファン
２５  電気回路冷却用ファン
３０  通風用ダクト
３３  補助ダクト
４１  消音用スピーカ
４２  サブウーハー用スピーカ
５０  電気回路
【図１】
2004184763.tif 000003
【図２】
2004184763.tif 000004
【図３】
2004184763.tif 000005